(57)【特許請求の範囲】
【請求項１】
ワイヤレス通信システムにおけるＤＣ較正のための方法において、
通信リンクを通して受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号のアナログ利得を設定して、増幅された信号を生成させることと、
前記予め定められた受信／送信の移行ギャップ内で、前記増幅信号のＤＣオフセットを推定することと、
前記予め定められた受信／送信の移行ギャップ内で、前記推定されたＤＣオフセットを、前記増幅信号に適用することとを含み、
前記受信信号は、直交周波数分割多重化（ＯＦＤＭ）または直交周波数分割多元接続（ＯＦＤＭＡ）フレームに基づいており、
前記アナログ利得を設定して、前記ＯＦＤＭまたはＯＦＤＭＡフレームのダウンリンク（ＤＬ）サブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとをさらに含む方法。
【請求項２】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することをさらに含む請求項１記載の方法。
【請求項３】
前記アナログ利得を設定する前の初期化中に、前記ＤＣオフセットを較正することをさらに含む請求項１記載の方法。
【請求項４】
ワイヤレス通信システムにおけるＤＣ較正のための方法において、
通信リンクを通して受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号のアナログ利得を設定して、増幅された信号を生成させることと、
前記予め定められた受信／送信の移行ギャップ内で、前記増幅信号のＤＣオフセットを推定することと、
前記予め定められた受信／送信の移行ギャップ内で、前記推定されたＤＣオフセットを、前記増幅信号に適用することとを含み、
前記受信信号は、直交周波数分割多重化（ＯＦＤＭ）または直交周波数分割多元接続（ＯＦＤＭＡ）フレームに基づいており、
前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することをさらに含む方法。
【請求項５】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することをさらに含む請求項４記載の方法。
【請求項６】
前記アナログ利得を設定する前の初期化中に、前記ＤＣオフセットを較正することをさらに含む請求項４記載の方法。
【請求項７】
ワイヤレス通信のための受信機において、
通信リンクを通して前記受信機によって受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号に対するアナログ利得を設定して、増幅された信号を生成させるように構成されている利得設定論理と、
前記予め定められた受信／送信の移行ギャップ内で、前記増幅信号のＤＣオフセットを推定するように構成されているオフセット推定論理と、
前記予め定められた受信／送信の移行ギャップ内で、前記推定されたＤＣオフセットを、前記増幅信号に適用するように構成されている調整論理とを具備し、
前記受信信号は、直交周波数分割多重化（ＯＦＤＭ）または直交周波数分割多元接続（ＯＦＤＭＡ）フレームに基づいており、
前記利得設定論理は、前記アナログ利得を設定して、前記ＯＦＤＭまたはＯＦＤＭＡフレームのダウンリンク（ＤＬ）サブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている受信機。
【請求項８】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する請求項７記載の受信機。
【請求項９】
前記アナログ利得を設定する前の初期化中に、前記ＤＣオフセットを較正するように構成されている較正論理をさらに具備する請求項７記載の受信機。
【請求項１０】
ワイヤレス通信のための受信機において、
通信リンクを通して前記受信機によって受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号に対するアナログ利得を設定して、増幅された信号を生成させるように構成されている利得設定論理と、
前記予め定められた受信／送信の移行ギャップ内で、前記増幅信号のＤＣオフセットを推定するように構成されているオフセット推定論理と、
前記予め定められた受信／送信の移行ギャップ内で、前記推定されたＤＣオフセットを、前記増幅信号に適用するように構成されている調整論理とを具備し、
前記受信信号は、直交周波数分割多重化（ＯＦＤＭ）または直交周波数分割多元接続（ＯＦＤＭＡ）フレームに基づいており、
前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている受信機。
【請求項１１】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する請求項１０記載の受信機。
【請求項１２】
前記アナログ利得を設定する前の初期化中に、前記ＤＣオフセットを較正するように構成されている較正論理をさらに具備する請求項１０記載の受信機。
【請求項１３】
ワイヤレス通信システムにおけるＤＣ較正のための装置において、
通信リンクを通して受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号のアナログ利得を設定して、増幅された信号を生成させる手段と、
前記予め定められた受信／送信の移行ギャップ内で、前記増幅信号のＤＣオフセットを推定する手段と、
前記予め定められた受信／送信の移行ギャップ内で、前記推定されたＤＣオフセットを、前記増幅信号に適用する手段とを具備し、
前記受信信号は、直交周波数分割多重化（ＯＦＤＭ）または直交周波数分割多元接続（ＯＦＤＭＡ）フレームに基づいており、
前記アナログ利得を設定して、前記ＯＦＤＭまたはＯＦＤＭＡフレームのダウンリンク（ＤＬ）サブフレームに基づいている、前記受信信号の一部分を増幅させる手段と、
前記受信信号の前記増幅された一部分のＤＣオフセットを推定する手段と、
前記推定されたＤＣオフセットを、前記受信信号の前記増幅された一部分に適用する手段とをさらに具備する装置。
【請求項１４】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定する手段をさらに具備する請求項１３記載の装置。
【請求項１５】
前記アナログ利得を設定する前の初期化中に、前記ＤＣオフセットを較正する手段をさらに具備する請求項１３記載の装置。
【請求項１６】
ワイヤレス通信システムにおけるＤＣ較正のための装置において、
通信リンクを通して受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号のアナログ利得を設定して、増幅された信号を生成させる手段と、
前記予め定められた受信／送信の移行ギャップ内で、前記増幅信号のＤＣオフセットを推定する手段と、
前記予め定められた受信／送信の移行ギャップ内で、前記推定されたＤＣオフセットを、前記増幅信号に適用する手段とを具備し、
前記受信信号は、直交周波数分割多重化（ＯＦＤＭ）または直交周波数分割多元接続（ＯＦＤＭＡ）フレームに基づいており、
前記アナログ利得を設定して、前記受信信号の一部分を増幅させる手段と、
前記受信信号の前記増幅された一部分のゾーンＤＣオフセットを推定する手段と、
前記推定されたゾーンＤＣオフセットを、前記受信信号の前記増幅された一部分に適用する手段とをさらに具備し、
前記一部分は、前記ＯＦＤＭまたはＯＦＤＭＡフレームにおけるゾーンに基づいている装置。
【請求項１７】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定する手段をさらに具備する請求項１６記載の装置。
【請求項１８】
前記アナログ利得を設定する前の初期化中に、前記ＤＣオフセットを較正する手段をさらに具備する請求項１６記載の装置。
【請求項１９】
移動体デバイスにおいて、
直交周波数分割多重化（ＯＦＤＭ）または直交周波数分割多元接続（ＯＦＤＭＡ）フレームに基づいている信号を、通信リンクを通して受信する受信機フロントエンドと、
前記受信信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号に対するアナログ利得を設定して、増幅された信号を生成させるように構成されている利得設定論理と、
前記予め定められた受信／送信の移行ギャップ内で、前記増幅信号のＤＣオフセットを推定するように構成されている推定論理と、
前記予め定められた受信／送信の移行ギャップ内で、前記推定されたＤＣオフセットを、前記増幅信号に適用するように構成されている調整論理とを具備し、
前記利得設定論理は、前記アナログ利得を設定して、前記ＯＦＤＭまたはＯＦＤＭＡフレームのダウンリンク（ＤＬ）サブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている移動体デバイス。
【請求項２０】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する請求項１９記載の移動体デバイス。
【請求項２１】
前記アナログ利得を設定する前の初期化中に、前記ＤＣオフセットを較正するように構成されている較正論理をさらに具備する請求項１９記載の移動体デバイス。
【請求項２２】
移動体デバイスにおいて、
直交周波数分割多重化（ＯＦＤＭ）または直交周波数分割多元接続（ＯＦＤＭＡ）フレームに基づいている信号を、通信リンクを通して受信する受信機フロントエンドと、
前記受信信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号に対するアナログ利得を設定して、増幅された信号を生成させるように構成されている利得設定論理と、
前記予め定められた受信／送信の移行ギャップ内で、前記増幅信号のＤＣオフセットを推定するように構成されている推定論理と、
前記予め定められた受信／送信の移行ギャップ内で、前記推定されたＤＣオフセットを、前記増幅信号に適用するように構成されている調整論理とを具備し、
前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている移動体デバイス。
【請求項２３】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する請求項２２記載の移動体デバイス。
【請求項２４】
前記アナログ利得を設定する前の初期化中に、前記ＤＣオフセットを較正するように構成されている較正論理をさらに具備する請求項２２記載の移動体デバイス。
【請求項２５】
ワイヤレス通信システムにおけるＤＣ較正のためのプログラムを含むコンピュータ読み取り可能記憶媒体において、
前記プログラムは、プロセッサによって実行されるときに、
通信リンクを通して受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号のアナログ利得を設定して、増幅された信号を生成させることと、
前記予め定められた受信／送信の移行ギャップ内で、前記増幅信号のＤＣオフセットを推定することと、
前記予め定められた受信／送信の移行ギャップ内で、前記推定されたＤＣオフセットを、前記増幅信号に適用することとを含む動作を実行し、
前記受信信号は、直交周波数分割多重化（ＯＦＤＭ）または直交周波数分割多元接続（ＯＦＤＭＡ）フレームに基づいており、
前記動作は、
前記アナログ利得を設定して、前記ＯＦＤＭまたはＯＦＤＭＡフレームのダウンリンク（ＤＬ）サブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとを含むコンピュータ読み取り可能記憶媒体。
【請求項２６】
前記動作は、
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することとを含む請求項２５記載のコンピュータ読み取り可能記憶媒体。
【請求項２７】
前記動作は、前記アナログ利得を設定する前の初期化中に、前記ＤＣオフセットを較正することを含む請求項２５記載のコンピュータ読み取り可能記憶媒体。
【請求項２８】
ワイヤレス通信システムにおけるＤＣ較正のためのプログラムを含むコンピュータ読み取り可能記憶媒体において、
前記プログラムは、プロセッサによって実行されるときに、
通信リンクを通して受信した信号のダウンリンク（ＤＬ）サブフレームが基地局からユーザ機器（ＵＥ）により受信される前の、前記通信リンクの動作中における予め定められた受信／送信の移行ギャップ（ＲＴＧ）内で、前記受信信号のアナログ利得を設定して、増幅された信号を生成させることと、
前記予め定められた受信／送信の移行ギャップ内で、前記増幅信号のＤＣオフセットを推定することと、
前記予め定められた受信／送信の移行ギャップ内で、前記推定されたＤＣオフセットを、前記増幅信号に適用することとを含む動作を実行し、
前記受信信号は、直交周波数分割多重化（ＯＦＤＭ）または直交周波数分割多元接続（ＯＦＤＭＡ）フレームに基づいており、
前記動作は、
前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することとを含むコンピュータ読み取り可能記憶媒体。
【請求項２９】
前記動作は、
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することを含む請求項２８記載のコンピュータ読み取り可能記憶媒体。
【請求項３０】
前記動作は、前記アナログ利得を設定する前の初期化中に、前記ＤＣオフセットを較正することを含む請求項２８記載のコンピュータ読み取り可能記憶媒体。
【発明の詳細な説明】
【分野】
【０００１】
本開示のいくつかの実施形態は、一般的に、ワイヤレス通信に関する。さらに詳細に述べると、直交周波数分割多重化（ＯＦＤＭ）または直交周波数分割多元接続（ＯＦＤＭＡ）システムに対する自動利得制御（ＡＧＣ）およびＤＣ較正に関する。
【背景】
【０００２】
ＩＥＥＥ８０２．１６に基づくＯＦＤＭおよびＯＦＤＭＡワイヤレス通信システムは、基地局のネットワークを使用して、複数の副搬送波の周波数の直交性に基づいて、システム中のサービスに登録しているワイヤレスデバイス（すなわち、移動局）と通信し、マルチパスフェージングおよび干渉への耐性のような、広帯域ワイヤレス通信に対する多数の技術的利点を達成するように実現することができる。それぞれの基地局は、データを移動局へ伝え、データを移動局から伝える無線周波数（ＲＦ）信号を放出および受信する。
【０００３】
移動局は、復調およびデコーディングに備えて、基地局からの送信信号を受信して、受信信号を処理するのに適した回路を持つＲＦフロントエンドを備えているかもしれない。信号処理は、自動利得制御（ＡＧＣ）およびＤＣ較正を含んでいてもよい。ＲＦフロントエンドを飽和させ、これにより、場合によって無効データにつながらないように、信号対干渉プラスノイズ比（ＳＩＮＲ）を増加させるために、適切なＡＧＣおよびＤＣ較正は重要である。
【概要】
【０００４】
本開示のいくつかの実施形態は、一般的に、受信機の無線周波数（ＲＦ）フロントエンドにおけるアナログデジタル変換器（ＡＤＣ）の飽和を防ぐために、直交周波数分割多重化（ＯＦＤＭ）または直交周波数分割多元接続（ＯＦＤＭＡ）システムに対する自動利得制御（ＡＧＣ）およびＤＣ較正に関する。いくつかの実施形態の場合には、ＲＦフロントエンドにおける量子化誤差も減少するかもしれない。
【０００５】
本開示のいくつかの実施形態は、ワイヤレス通信システムにおけるＡＧＣのための方法を提供する。方法は、一般的に、受信信号の電力をＡＤＣの出力から推定することと；推定された信号の電力に基づいてアナログ利得を調整することと；調整されたアナログ利得を使用しながら、デジタルフィルタの出力から調整信号の電力を推定することと；推定された調整信号の電力に基づいて、デジタル利得を調整することとを含み、ＡＤＣの出力はデジタルフィルタに入力される。
【０００６】
本開示のいくつかの実施形態は、ワイヤレス通信のための受信機を提供している。受信機は、一般的に、ＡＤＣの出力から、受信信号の電力を推定するように構成されている第１の推定論理と；推定された受信信号の電力に基づいて、アナログ利得を調整するように構成されている第１の調整論理と；調整されたアナログ利得を使用しながら、デジタルフィルタの出力から、調整された信号の電力を推定するように構成されている第２の推定論理と；推定された調整信号の電力に基づいて、デジタル利得を調整するように構成されている第２の調整論理とを具備し、ＡＤＣの出力は、デジタルフィルタに入力される。
【０００７】
本開示のいくつかの実施形態は、ワイヤレス通信システムにおけるＡＧＣのための装置を提供している。装置は、一般的に、ＡＤＣの出力から、受信信号の電力を推定する手段と；推定された受信信号の電力に基づいて、アナログ利得を調整する手段と；調整されたアナログ利得を使用しながら、デジタルフィルタの出力から、調整された信号の電力を推定する手段と；推定された調整信号の電力に基づいて、デジタル利得を調整する手段とを具備し、ＡＤＣの出力は、デジタルフィルタに入力される。
【０００８】
本開示のいくつかの実施形態は、移動体デバイスを提供している。移動体デバイスは、一般的に、信号を受信する受信機フロントエンドと；ＡＤＣの出力から、受信信号の電力を推定するように構成されている第１の推定論理と；推定された受信信号の電力に基づいて、アナログ利得を調整するように構成されている第１の調整論理と；調整されたアナログ利得を使用しながら、デジタルフィルタの出力から、調整された信号の電力を推定するように構成されている第２の推定論理と；推定された調整信号の電力に基づいて、デジタル利得を調整するように構成されている第２の調整論理とを具備し、ＡＤＣの出力は、デジタルフィルタに入力される。
【０００９】
本開示のいくつかの実施形態は、ワイヤレス通信システムにおけるＡＧＣのためのプログラムを含むコンピュータ読み取り可能媒体を提供しており、プログラムは、プロセッサによって実行されるときに、いくつかの動作を実行する。動作は、一般的に、ＡＤＣの出力から、受信信号の電力を推定することと；推定された受信信号の電力に基づいて、アナログ利得を調整することと；調整されたアナログ利得を使用しながら、デジタルフィルタの出力から、調整された信号の電力を推定することと；推定された調整信号の電力に基づいて、デジタル利得を調整することとを含み、ＡＤＣの出力は、デジタルフィルタに入力される。
【００１０】
本開示のいくつかの実施形態は、ワイヤレス通信システムにおけるＤＣ較正のための方法を提供している。方法は、一般的に、受信信号のアナログ利得を設定して、増幅された信号を生成させることと；受信信号のギャップ時間中に、増幅信号のＤＣオフセットを推定することと；推定されたＤＣオフセットを、増幅信号に適用することとを含み、受信信号は、ＯＦＤＭまたはＯＦＤＭＡフレームに基づいている。
【００１１】
本開示のいくつかの実施形態は、ワイヤレス通信のための受信機を提供している。受信機は、一般的に、受信機によって受信された信号に対するアナログ利得を設定して、増幅された信号を生成させるように構成されている利得設定論理と；受信信号のギャップ時間中に、増幅信号のＤＣオフセットを推定するように構成されているオフセット推定論理と；推定されたＤＣオフセットを、増幅信号に適用するように構成されている調整論理とを具備し、受信信号は、ＯＦＤＭまたはＯＦＤＭＡフレームに基づいている。
【００１２】
本開示のいくつかの実施形態は、ワイヤレス通信システムにおけるＤＣ較正のための装置を提供している。装置は、一般的に、受信信号のアナログ利得を設定して、増幅された信号を生成させる手段と；受信信号のギャップ時間中に、増幅信号のＤＣオフセットを推定する手段と；推定されたＤＣオフセットを、増幅信号に適用する手段とを具備し、受信信号は、ＯＦＤＭまたはＯＦＤＭＡフレームに基づいている。
【００１３】
本開示のいくつかの実施形態は、移動体デバイスを提供している。移動体デバイスは、一般的に、ＯＦＤＭまたはＯＦＤＭＡフレームに基づいている信号を受信する受信機フロントエンドと；受信信号に対するアナログ利得を設定して、増幅された信号を生成させるように構成されている利得設定論理と；受信信号のギャップ時間中に、増幅信号のＤＣオフセットを推定するように構成されている推定論理と；推定されたＤＣオフセットを、増幅信号に適用するように構成されている調整論理とを具備する。
【００１４】
本開示のいくつかの実施形態は、ワイヤレス通信システムにおけるＤＣ較正のためのプログラムを含むコンピュータ読み取り可能媒体を提供し、プログラムは、プロセッサによって実行されるときに、いくつかの動作を実行する。いくつかの動作は、一般的に、受信信号のアナログ利得を設定して、増幅された信号を生成させることと；受信信号のギャップ時間中に、増幅信号のＤＣオフセットを推定することと；推定されたＤＣオフセットを、増幅信号に適用することとを含み、受信信号は、ＯＦＤＭまたはＯＦＤＭＡフレームに基づいている。
【図面の簡単な説明】
【００１５】
上記に記載した本開示の特徴を詳細に理解できるように、上記において簡潔に要約した、より特定した説明が、実施形態の参照により得られる。実施形態のうちのいくつかは、添付した図面で図示した。しかしながら、図面は、本開示のいくつかの典型的な実施形態のみを図示しており、ゆえに、本開示の範囲の限定としてみなされるべきではなく、他の同等に効果的な実施形態が、説明のために認められてもよいことに留意すべきである。
【図１】図１は、本開示のいくつかの実施形態にしたがった、例示的なワイヤレス通信システムを図示している
【図２】図２は、本開示のいくつかの実施形態にしたがった、ワイヤレスデバイスにおいて利用されてもよい、さまざまなコンポーネントを図示している。
【図３】図３は、本開示のいくつかの実施形態にしたがった、直交周波数分割多重化および直交周波数分割多元接続（ＯＦＤＭ／ＯＦＤＭＡ）技術を利用するワイヤレス通信システム内で使用されてもよい、例示的な送信機と例示的な受信機とを図示している。
【図４】図４は、本開示のいくつかの実施形態にしたがった、３つのセグメントを有する、時分割デュプレクス（ＴＤＤ）向けの例示的なＯＦＤＭＡフレームを図示している。
【図５】図５は、本開示のいくつかの実施形態にしたがった、ダウンリンク（ＤＬ）サブフレーム内の異なるＯＦＤＭ／ＯＦＤＭＡゾーンにおける電力変化の例を図示している。
【図６Ａ】図６Ａは、本開示のいくつかの実施形態にしたがった、ＯＦＤＭ／ＯＦＤＭＡを利用してもよい、ワイヤレス通信システム内の受信機の無線周波数（ＲＦ）フロントエンドのブロック図を図示している。
【図６Ｂ】図６Ｂは、本開示のいくつかの実施形態にしたがった、ＯＦＤＭ／ＯＦＤＭＡを利用してもよい、ワイヤレス通信システム内の受信機の無線周波数（ＲＦ）フロントエンドのブロック図を図示している。
【図７】図７は、本開示のいくつかの実施形態にしたがった、図６Ｂのアナログおよびデジタル利得ブロックの双方の自動利得制御（ＡＧＣ）のための例示的な動作のフローチャートである。
【図７Ａ】図７Ａは、本開示のいくつかの実施形態にしたがった、図７のＡＧＣのための例示的な動作に対応する手段のブロック図である。
【図８】図８は、本開示のいくつかの実施形態にしたがった、ＯＦＤＭ／ＯＦＤＭＡシンボルのサイクリックプレフィックス（ＣＰ）を使用している、高速なＡＧＣのための例示的な動作のフローチャートである。
【図８Ａ】図８Ａは、本開示のいくつかの実施形態にしたがった、図８のＣＰを使用している、高速なＡＧＣのための例示的な動作に対応する手段のブロック図である。
【図９】図９は、本開示のいくつかの実施形態にしたがって、ＯＦＤＭ／ＯＦＤＭＡシンボルのＣＰの間、自動利得制御の電力を測定および適用することとを図示している。
【図１０】図１０は、本開示のいくつかの実施形態にしたがった、ＤＣオフセット較正のための例示的な動作のフロー図を図示している。
【図１０Ａ】図１０Ａは、本開示のいくつかの実施形態にしたがった、図１０のＤＣオフセット較正のための例示的な動作に対応する手段のブロック図である。
【図１１】図１１（Ａ）〜（Ｇ）は、本開示のいくつかの実施形態にしたがった、図８のＣＰに基づいた高速なＡＧＣと図１０のＤＣオフセット較正のＣＰとを使用している、図６Ｂのブロック図中のさまざまなステージにおける信号の電力レベルとＤＣオフセットとを図示している。
【詳細な説明】
【００１６】
本開示のいくつかの実施形態は、特に、高干渉信号の存在下で、受信機の無線周波数（ＲＦ）フロントエンドにおけるアナログデジタル変換器（ＡＤＣ）の飽和を防ぐために、受信信号の電力を高速に変えることを取り扱うために、またはＤＣ較正のための通信リンクにおける中断を防ぐために、直交周波数割多重化（ＯＦＤＭ）または直交周波数分割多元接続（ＯＦＤＭＡ）システムに対する自動利得制御（ＡＣＧ）およびＤＣ較正のための技術および装置を提供する。いくつかの実施形態の場合には、ＲＦフロントエンドにおける量子化誤差も減少するかもしれない。
【００１７】
例示的なワイヤレス通信システム
ブロードバンドワイヤレス通信システムにおいて、本開示の方法および装置を利用してもよい。「ブロードバンドワイヤレス」という用語は、一般的に、所定のエリアにわたる、ワイヤレスの、音声、インターネット、および／または、データネットワークアクセスを提供する技術に関連する。
【００１８】
ＷｉＭＡＸは、マイクロ波アクセスのための世界的な相互運用を意味しているが、長距離にわたって高スループットブロードバンド接続を提供する標準規格ベースのブロードバンドワイヤレス技術である。今日、ＷｉＭＡＸの２つの主なアプリケーション：固定ＷｉＭＡＸと、モバイルＷｉＭＡＸとが存在する。固定ＷｉＭＡＸアプリケーションは、ポイントツーマルチポイントであり、これにより、例えば、自宅や会社に対するブロードバンドアクセスが可能になる。モバイルＷｉＭＡＸは、ブロードバンドのスピードでのセルラネットワークの完全な移動性を提供している。
【００１９】
モバイルＷｉＭＡＸは、ＯＦＤＭおよびＯＦＤＭＡ技術に基づいている。ＯＦＤＭは、最近、さまざまな高データレート通信システムにおいて幅広い採用が見られるデジタル多重搬送波変調技術である。ＯＦＤＭでは、送信ビットストリームは、複数の低レートサブストリームに分割される。それぞれのサブストリームは、複数の直交副搬送波のうちの１つにより変調され、複数のパラレルサブチャネルのうちの１つを通して送られる。ＯＦＤＭＡは、多元接続技術であり、この多元接続技術では、異なる時間スロット中で副搬送波がユーザに割り当てられる。ＯＦＤＭＡは、幅広く変化するアプリケーションや、データレートや、サービスの品質要件で多くのユーザに対応できる、柔軟な多元接続技術である。
【００２０】
ワイヤレスインターネットおよび通信の急速な成長は、ワイヤレス通信サービスの分野における高データレートに対する需要の増加をもたらした。ＯＦＤＭ／ＯＦＤＭＡシステムは、今日、最も将来性がある研究分野のうちの１つであると、そしてワイヤレス通信の次世代のための重要な技術であると考えられている。これは、ＯＦＤＭ／ＯＦＤＭＡ変調スキームが、従来の単一搬送波変調スキームと比較して、例えば、変調効率や、スペクトル効率や、柔軟性や、強度のマルチパス耐性といった多くの利点を多くのユーザに提供できるという事実による。
【００２１】
ＩＥＥＥ８０２．１６ｘは、例えば、固定ＢＷＡシステムや、移動体ＢＷＡシステムのような、固定および移動体ブロードバンドワイヤレスアクセス（ＢＷＡ）システムに対するエアインターフェースを規定するための、新しい標準規格団体である。これらの標準規格は、少なくとも４つの異なる物理レイヤ（ＰＨＹ）と、１つのメディアアクセス制御（ＭＡＣ）レイヤとを規定している。４つの物理レイヤのうちのＯＦＤＭおよびＯＦＤＭＡ物理レイヤは、それぞれ、固定および移動体ＢＷＡエリアにおいて最も普及している。
【００２２】
図１は、ワイヤレス通信システム１００の例を図示している。ワイヤレス通信システム１００は、ブロードバンドワイヤレス通信システムであってもよい。ワイヤレス通信システム１００は、多数のセル１０２に対する通信を提供してもよく、このセルのそれぞれは、基地局１０４によってサービスされる。基地局１０４は、ユーザ端末１０６と通信する固定局であってもよい。代替的に、基地局１０４を、アクセスポイント、ノードＢと呼ぶこともあり、または他の何らかの専門用語で呼ぶこともある。
【００２３】
図１は、システム１００全体を通して分散されているさまざまなユーザ端末１０６を図示している。ユーザ端末１０６は、固定の（すなわち、静的）または移動性のものであってもよい。ユーザ端末１０６を、代替的に、遠隔局、アクセス端末、端末、加入者ユニット、移動局、局、ユーザ機器等と呼ぶことがある。ユーザ端末１０６は、セルラ電話機、パーソナルデジタルアシスタント（ＰＤＡ）、ハンドヘルドデバイス、ワイヤレスモデム、ラップトップコンピュータ、パーソナルコンピュータ（ＰＣ）等のようなワイヤレスデバイスであってもよい。
【００２４】
ワイヤレス通信システム１００における、基地局１０４とユーザ端末１０６との間の送信のために、さまざまなアルゴリズムおよび方法が使用されてもよい。例えば、信号は、ＯＦＤＭ／ＯＦＤＭＡ技術にしたがって、基地局１０４とユーザ端末１０６との間で送信および受信されてもよい。このケースである場合、ワイヤレス通信システム１００を、ＯＦＤＭ／ＯＦＤＭＡシステムと呼ぶことがある。
【００２５】
基地局１０４からユーザ端末１０６への送信を促進する通信リンクを、ダウンリンク１０８と呼ぶことがあり、ユーザ端末１０６から基地局１０４に対する送信を促進する通信リンクを、アップリンク１１０と呼ぶことがある。代替的に、ダウンリンク１０８を、フォワードリンクまたはフォワードチャネルと呼ぶこともあり、そして、アップリンク１１０をリバースリンクまたはリバースチャネルと呼ぶこともある。
【００２６】
セル１０２は、複数のセクタ１１２に分割されていてもよい。セクタ１１２は、セル１０２内の物理カバーレジエリアである。ワイヤレス通信システム１００内の基地局１０４は、セル１０２の特定のセクタ１１２内に電力フローを集中させるアンテナを利用してもよい。このようなアンテナを、指向性アンテナと呼ぶことがある。
【００２７】
図２は、ワイヤレスデバイス２０２において利用されてもよい、さまざまなコンポーネントを図示している。ワイヤレスデバイス２０２は、ここで記述するさまざまな方法を実現するように構成されているデバイスの例である。ワイヤレスデバイス２０２は、基地局１０４またはユーザ端末１０６であってもよい。
【００２８】
ワイヤレスデバイス２０２は、ワイヤレスデバイス２０２の動作を制御するプロセッサ２０４を備えていてもよい。プロセッサ２０４を、中央処理ユニット（ＣＰＵ）と呼ぶこともある。メモリ２０６は、リードオンリーメモリ（ＲＯＭ）およびランダムアクセスメモリ（ＲＡＭ）の双方を含んでいてもよく、命令およびデータをプロセッサ２０４に提供する。メモリ２０６の一部分はまた、不揮発性ランダムアクセスメモリ（ＮＶＲＡＭ）を含んでいてもよい。プロセッサ２０４は、一般的に、メモリ２０６内に記憶されているプログラム命令に基づいて、論理演算および算術演算を実行する。メモリ２０６における命令は、ここで記述した方法を実現するように実行可能であってもよい。
【００２９】
ワイヤレスデバイス２０２はまた、送信機２１０と受信機２１２とを有していてもよいハウジング２０８も備えており、これにより、ワイヤレスデバイス２０２と遠隔位置との間のデータの送信および受信が可能である。送信機２１０および受信機２１２を、組み合わせて、トランシーバ２１４にしてもよい。アンテナ２１６は、ハウジング２０８に取り付けられていてもよく、トランシーバ２１４に電気的に結合されていてもよい。ワイヤレスデバイス２０２はまた、（示してない）複数の送信機、複数の受信機、複数のトランシーバ、および／または複数のアンテナも備えていてもよい。
【００３０】
ワイヤレスデバイス２０２はまた、トランシーバ２１４により受信した信号のレベルを検出して、量を示すために使用してもよい、信号検出器２１８を備えていてもよい。信号検出器２１８は、総エネルギーや、パイロット副搬送波からのパイロットエネルギーまたはプリアンブルシンボルからの信号エネルギーや、電力スペクトル密度や、他の信号のような信号を検出してもよい。ワイヤレスデバイス２０２はまた、信号を処理する際に使用するための、デジタル信号プロセッサ（ＤＳＰ）２２０を備えていてもよい。
【００３１】
ワイヤレスデバイス２０２のさまざまなコンポーネントは、バスシステム２２２によって互いに結合されていてもよく、バスシステム２２２は、データバスに加えて、電力バスや、制御信号バスや、ステータス信号バスを含んでいてもよい。
【００３２】
図３は、ＯＦＤＭ／ＯＦＤＭＡを利用するワイヤレス通信システム１００内で使用されてもよい送信機３０２の例を図示している。送信機３０２の一部分は、ワイヤレスデバイス２０２の送信機２１０中で実現されてもよい。送信機３０２は、ダウンリンク１０８上でデータ３０６をユーザ端末１０６に送信するために、基地局１０４中で実現されてもよい。送信機３０２はまた、アップリンク１１０上でデータ３０６を基地局１０４に送信するために、ユーザ端末１０６中で実現されてもよい。
【００３３】
送信されるデータ３０６は、シリアルパラレル（Ｓ／Ｐ）変換器３０８への入力として提供されていることが示されている。Ｓ／Ｐ変換器３０８は、送信データをＮ個のパラレルデータストリーム３１０に分けてもよい。
【００３４】
Ｎ個のパラレルデータストリーム３１０は、その後、マッパ３１２への入力として提供されてもよい。マッパ３１２は、Ｎ個のパラレルデータストリーム３１０をＮ個の配列点上にマッピングしてもよい。マッピングは、２位相シフトキーイング（ＢＰＳＫ）、直角位相シフトキーイング（ＱＰＳＫ）、８位相シフトキーイング（８ＰＳＫ）、直交振幅変調（ＱＡＭ）等のような、何らかの変調配列を使用して実行されてもよい。したがって、マッパ３１２は、Ｎ個のパラレルシンボルストリーム３１６を出力してもよく、それぞれのシンボルストリーム３１６は、高速逆フーリエ変換（ＩＦＦＴ）３２０のＮ個の直交副搬送波のうちの１つに対応している。これらのＮ個のパラレルシンボルストリーム３１６は、周波数ドメインで表現され、ＩＦＦＴコンポーネント３２０によって、Ｎ個のパラレル時間ドメインサンプルストリーム３１８に変換されてもよい。
【００３５】
これから、専門用語に関する簡単な注記について記述する。周波数ドメインにおけるＮ個のパラレル変調は、周波数ドメインにおけるＮ個の変調シンボルに等しく、周波数ドメインにおけるＮマッピングおよびＮポイントＩＦＦＴに等しく、時間ドメインにおける１つの（有用な）ＯＦＤＭシンボルに等しく、１つの（有用な）ＯＦＤＭシンボルは、時間ドメインにおけるＮ個のサンプルに等しい。時間ドメインにおける１つのＯＦＤＭシンボル、ＮSは、ＮCP（ＯＦＤＭシンボル当たりのガードサンプルの数）＋Ｎ（ＯＦＤＭシンボル当たりの有用なサンプルの数）に等しい。
【００３６】
Ｎ個のパラレル時間ドメインサンプルストリーム３１８は、パラレルシリアル（Ｐ／Ｓ）変換器３２４によって、ＯＦＤＭ／ＯＦＤＭＡシンボルストリーム３２２に変換されてもよい。ガード挿入コンポーネント３２６は、ＯＦＤＭ／ＯＦＤＭＡシンボルストリーム３２２における連続的ＯＦＤＭ／ＯＦＤＭＡシンボル間にガードインターバルを挿入してもよい。そして、ガード挿入コンポーネント３２６の出力は、無線周波数（ＲＦ）フロントエンド３２８によって、所望の送信周波数帯域にアップコンバートされてもよい。そして、アンテナ３３０が、結果として得られる信号３３２を送信してもよい。
【００３７】
図３はまた、ＯＦＤＭ／ＯＦＤＭＡを利用するワイヤレス通信システム１００内で使用されてもよい受信機３０４の例を図示している。受信機３０４の一部分は、ワイヤレスデバイス２０２の受信機２１２中で実現されてもよい。受信機３０４は、ダウンリンク１０８上で基地局１０４からのデータ３０６を受信するために、ユーザ端末１０６中で実現されてもよい。受信機３０４は、アップリンク１１０上でユーザ端末１０６からのデータ３０６を受け取るために基地局１０４中で実現されてもよい。
【００３８】
送信信号３２２は、ワイヤレスチャネル３３４を通して伝わるように示されている。信号３３２’が、アンテナ３３０’によって受信されたとき、受信信号３３２’は、ＲＦフロントエンド３２８’によって、ベースバンド信号にダウンコンバートされてもよい。ガード除去コンポーネント３２６’は、ガード挿入コンポーネント３２６によって、ＯＦＤＭ／ＯＦＤＭＡシンボル間に挿入されたガードインターバルを除去してもよい。
【００３９】
ガード除去コンポーネント３２６’の出力は、Ｓ／Ｐ変換器３２４’に提供されてもよい。Ｓ／Ｐ変換器３２４’は、ＯＦＤＭ／ＯＦＤＭＡシンボルストリーム３２２’を、Ｎ個のパラレル時間ドメインシンボルストリーム３１８’に分割してもよく、このＮ個のパラレル時間ドメインシンボルストリーム３１８のそれぞれは、Ｎ個の直交副搬送波のうちの１つに対応している。高速フーリエ変換（ＦＦＴ）コンポーネント３２０’は、Ｎ個のパラレル時間ドメインシンボルストリーム３１８’を周波数ドメインに変換し、Ｎ個のパラレル周波数ドメインシンボルストリーム３１６’を出力してもよい。
【００４０】
デマッパ３１２’は、マッパ３１２によって実行されたシンボルマッピング動作の逆を実行してもよく、これにより、Ｎ個のパラレルデータストリーム３１０’を出力する。Ｐ／Ｓ変換器３０８’は、Ｎ個のパラレルデータストリーム３１０’を単一のデータストリーム３０６’に合成してもよい。概念的には、このストリーム３０６’は、入力として送信機３０２に提供されたデータ３０６に対応している。
【００４１】
例示的なＯＦＤＭＡフレーム
これから図４を参照すると、一般的な例として、例えば、時分割デュプレクス（ＴＤＤ）インプリメンテーション用のＯＦＤＭＡフレーム４００を図示しているが、これに限定されるものではない。ダウンリンク（ＤＬ）メッセージおよびアップリンク（ＵＬ）メッセージの双方が、異なる搬送波を通して同時に送信されることを除いて、フレームが同じである場合、全二重および半二重周波数分割デュプレクス（ＦＤＤ）のような、ＯＦＤＭＡフレームの他のインプリメンテーションを使用してもよい。ＴＤＤインプリメンテーションでは、それぞれのフレームは、ＤＬサブフレーム４０２とＵＬサブフレーム４０４とに分割されてもよく、ＤＬおよびＵＬが送信衝突することを防止するために、小さいガードインターバルによって、すなわち、より詳細に説明すると、送信／受信および受信／送信の移行ギャップ（それぞれ、ＴＴＧ４０６およびＲＴＧ４０７）によって分けられてもよい。ＤＬ対ＵＬサブフレーム比を、異なるトラフィックプロファイルをサポートするために３：１から１：１に変えてもよい。
【００４２】
ＯＦＤＭＡフレーム４００内には、さまざまな制御情報が含まれていてもよい。例えば、フレーム４００の最初のＯＦＤＭＡシンボルは、プリアンブル４０８であり、これは、同期化のために使用されるいくつかのパイロット信号（パイロット）を含んでいてもよい。プリアンブル４０８内の固定パイロットシーケンスは、受信機３０４が、周波数および位相の誤差を推定したり、送信機３０２と同期化したりすることを可能にする。さらに、ワイヤレスチャネルを推定および等化するために、プリアンブル４０８中の固定パイロットシーケンスを利用してもよい。プリアンブル４０８は、ＢＰＳＫ変調搬送波を含んでいてもよく、一般的に、１つのＯＦＤＭシンボル長である。プリアンブル４０８の搬送波は、電力ブーストされてもよく、一般的には、ＷｉＭＡＸ信号におけるデータ部分の周波数ドメインにおける電力レベルよりも、数デシベル（ｄＢ）（例えば、９ｄＢ）高い。使用されるプリアンブル搬送波の番号は、ゾーンの３つのセグメント４０９のうちのどれを使用するかを示していてもよい。例えば、搬送波０、３、６、．．．は、セグメント０（４０９0）を使用すべきであることを示していてもよく、搬送波１、４、７、．．．は、セグメント１（４０９1）を使用すべきであることを示していてもよく、搬送波２、５、８、．．．は、セグメント２（４０９2）を使用すべきであることを示していてもよい。
【００４３】
フレーム制御ヘッダ（ＦＣＨ）４１０が、プリアンブル４０８に続き、セグメント４０９につき１つのＦＣＨ４１０である。ＦＣＨ４１０は、使用可能なサブチャネルや、変調およびコーディングスキームや、現在のＯＦＤＭＡフレームに対するＭＡＰメッセージ長のような、フレーム構成情報を提供してもよい。フレーム構成情報を概説している、ダウンリンクフレームプレフィックス（ＤＬＦＰ）のようなデータ構成が、ＦＣＨ４１０にマッピングされてもよい。モバイルＷｉＭＡＸに対するＤＬＦＰは、使用されるサブチャネル（ＳＣＨ）ビットマップや、０に設定された予約ビットや、反復コーディング表示や、コーディング表示や、ＭＡＰメッセージ長や、０に設定された４つの予約ビットを含んでいてもよい。ＦＣＨ４１０にマッピングする前に、２４ビットのＤＬＦＰを複製して、４８ビットブロックを形成してもよい。この４８ビットブロックは、最小フォワード誤り訂正（ＦＥＣ）ブロックサイズである。
【００４４】
それぞれのセグメント４０９中のＦＣＨ４１０に続いて、ＤＬ−ＭＡＰ４１４およびＵＬ−ＭＡＰ４１６が、それぞれ、ＤＬおよびＵＬサブフレーム４０２および４０４に対するサブチャネル割り振りおよび他の制御情報を指定してもよい。ＯＦＤＭＡでは、複数のユーザが、フレーム４００内のデータ領域に割り振られてもよく、これらの割り振りは、ＤＬおよびＵＬ-ＭＡＰ４１４、４１６において指定されてもよい。ＭＡＰメッセージは、それぞれのユーザに対するバーストプロファイルを含んでいてもよく、このバーストプロファイルは、特定のリンクにおいて使用される変調およびコーディングを規定している。ＭＡＰメッセージは、そのセグメント４０９に対するすべてのユーザに届く必要がある重要な情報を含んでいることから、ＤＬおよびＵＬ−ＭＡＰ４１４、４１６は、レート１／２コーディングおよび反復コーディングによるＢＰＳＫまたはＱＰＳＫのような、かなり信頼性のあるリンクを通して送られることが多いかもしれない。
【００４５】
ＯＦＤＭＡフレーム４００のＤＬサブフレーム４０２は、通信されているダウンリンクデータを含むさまざまなビット長のＤＬバーストを含んでいてもよい。したがって、ＤＬ−ＭＡＰ４１４は、ダウンリンクゾーンに含まれているバーストの位置や、ダウンリンクバーストの数とともに、これらのオフセットおよび長さを、時間（すなわち、シンボル）および周波数（すなわち、サブチャネル）方向で記述していてもよい。要するに、プリアンブル４０８、ＦＣＨ４１０、およびＤＬ−ＭＡＰ４１４は、受信機３０４が受信信号を正確に復調することを可能にする情報を伝えてもよい。
【００４６】
同様に、ＵＬサブフレーム４０４は、通信されているアップリンクからなる、さまざまなビット長のＵＬバーストを含んでいてもよい。したがって、ＤＬサブフレーム４０２における最初のＤＬバーストとして送信されるＵＬ−ＭＡＰ４１６は、異なるユーザに対するＵＬバーストの位置についての情報を含んでいてもよい。ＵＬサブフレーム４０４は、図４に図示したような付加的な制御情報を含んでいてもよく、付加的な制御情報には、例えば、ネットワークエントリ中の閉ループの、時間、周波数、および電力の調整を実行し、そして周期的にその後、帯域幅要求も実行するための、移動局に対して割り振られたＵＬレンジングサブチャネル４２２等といったものがある。ＵＬサブフレーム４０４はまた、ＤＬハイブリッド自動反復要求肯定応答（ＨＡＲＱ ＡＣＫ）をフィードバックするための、移動局（ＭＳ）に対して割り振られた（示していない）ＵＬ ＡＣＫ、および／または、チャネル品質インジケータチャネル（ＣＱＩＣＨ）に関するチャネル状態情報をフィードバックするためのＭＳに対して割り振られた（示してない）ＵＬ ＣＱＩＣＨを含んでいてもよい。
【００４７】
ＯＦＤＭＡでは、ＤＬおよびＵＬ送信に対して、異なる「モード」を使用してもよい。あるモードが使用される、時間ドメインにおけるエリアを、一般的に、ゾーンと呼ぶ。１つのタイプのゾーンを、ＤＬ−ＰＵＳＣ（サブチャネルのダウンリンク部分的使用）ゾーン４２４と呼び、このゾーンは、ＤＬ−ＰＵＳＣに対して利用可能なすべてのサブチャネルを使用しなくてもよい（すなわち、ＤＬ−ＰＵＳＣゾーン４２４は、特定のサブチャネルだけに使用してもよい）。ＤＬ-ＰＵＳＣゾーン４２４は、トータル６個のサブチャネルグループに分割してもよく、この６個のサブチャネルグループは、３つまでのセグメント４０９に割り当てることができる。したがって、セグメント４０９は、１ないし６個のサブチャネルグループを含んでいてもよい（例えば、図４に図示したように、セグメント０は２つのサブチャネルグループ０および１を含んでいてもよく、セグメント１は２つのサブチャネルグループ２および３を含んでいてもよく、セグメント２は２つのサブチャネルグループ４および５を含んでいてもよい）。別のタイプのゾーンを、ＤＬ-ＦＵＳＣ（サブチャネルのダウンリンクの完全使用）ゾーン４２６と呼ぶ。ＤＬ−ＰＵＳＣとは異なり、ＤＬ−ＦＵＳＣは、セグメントをまったく使用しないが、全部の周波数範囲にわたって、すべてのバーストを分配できる。
【００４８】
図５は、ＤＬサブフレーム４０２内の異なるＯＦＤＭ／ＯＦＤＭＡゾーンの信号電力が変化することを図示している。例えば、図示したように、第１のゾーン（ＺＯＮＥ１）は、第１のＤＬ−ＰＵＳＣゾーン４２４1であってもよく、第２のゾーン（ＺＯＮＥ２）よりも高い信号電力を持っていてもよく、この第２のゾーン（ＺＯＮＥ２）は第２のＤＬ−ＰＵＳＣゾーン４２４2であってもよい。別の例として、第３のゾーン（ＺＯＮＥ３）は、ＤＬ−ＦＵＳＣゾーン４２６であってもよく、示したように、ＺＯＮＥ２よりも高い信号電力を持っていてもよい。
【００４９】
自動利得制御（ＡＧＣ）のための例示的な方法
図６Ａは、受信機３０４’のＲＦフロントエンド３２８’の１つの例として、ゼロ中間周波数（ＺＩＦ）アーキテクチャのブロック図６００を図示している。ブロック図６００では、アンテナ３３０’は、低ノイズ増幅器（ＬＮＡ）６０２に結合されていてもよい。増幅した信号に対してかなりのノイズまたはスプリアスの信号成分を生じさせずに、高度の信号利得（例えば、０、２０、４０、または６０ｄＢ）を提供するために、ＬＮＡ６０２を使用してもよい。プログラマブル利得を有することによって、ＬＮＡ６０２は、例えば、自動利得制御（ＡＧＣ）のための、２０ｄＢの分解能を持つ粗利得調整を提供してもよい。
【００５０】
予め定められた周波数（ｆc）で動作している局部発振器周波数と、ＬＮＡ６０２の出力とを混合させるために、ＬＮＡ６０２はミキサ６０４に結合されていてもよい。図６Ａでは示していないが、増幅信号は、ミキサ６０４において同位相（Ｉ）および直角位相（Ｑ）信号に分けられてもよいこと、そして後続する信号処理をＩおよびＱ信号の双方に適用してもよいことを、当業者は認識するだろう。簡略化のために、図６００は、ミキサ６０４の後に続く、信号処理パスのうちの１つだけを図示している。
【００５１】
ＬＮＡ６０２の粗調整と比較して微利得調整を提供するために、混合信号をプログラマブル利得増幅器（ＰＧＡ）６０６によって増幅させてもよい。例えば、ＰＧＡ６０６は、１ｄＢの分解能を持つ微利得調整を提供してもよい。増幅信号の帯域外高周波数成分がデジタルサンプリングによってパスバンドにエイリアスされる前に、増幅信号の帯域外高周波数成分を除去するために、ＰＧＡ６０６はエイリアス除去フィルタ（ＡＡＦ）６０８に結合されていてもよい。結果として得られる信号が、アナログデジタル変換器（ＡＤＣ）６１２によって、デジタル信号処理のためのデジタルドメインに変換される前に、ＤＣオフセットを除去するために、ＡＡＦ６０８は加算器６１０に結合されていてもよい。ＡＤＣ６１２は、１６ビットのような高分解能を有していてもよい。
【００５２】
帯域外周波数からの成分を除去するために、ＡＤＣ６１２はデジタルフィルタ（ＤＦ）６１４に結合されていてもよい。ＤＦ６１４のデジタル出力の平均電力（ＡＰ）を、ＡＰブロック６１６によって推定して、処理のために、自動利得制御（ＡＧＣ）／デジタル自動利得制御（ＤＡＧＣ）ブロック６１８に送ってもよい。ＡＧＣ／ＤＡＧＣブロック６１８は、デジタル制御信号をＬＮＡ６０２および／またはＰＧＡ６０６に送り、ＡＰブロック６１６からの推定された信号電力に基づいて、これらのステージの可変利得を調整してもよい。さらに、ＡＧＣ／ＤＡＧＣブロック６１８は、デジタルアナログ変換器（ＤＡＣ）６２０によってアナログＤＣオフセットに変換されることになる、デジタルＤＣオフセットを送ってもよい。ＤＡＣ６２０の出力は、加算器６１０によって、ＡＡＦ６０８の出力と加算される。
【００５３】
ＤＣ推定器６２２およびバッファ６２４も、ＤＦ６１４の出力に結合されている。ＤＣ推定器６２２は、ＤＦ６１４による信号出力における何らかの残余ＤＣオフセットを推定するために使用され、加算器６２６によって、残余ＤＣオフセットが、バッファリングされた信号から減算されるように、バッファ６２４がこの信号を保持してもよい。乗算器６２８を使用して、加算器６２６の出力を、ＡＧＣ／ＤＡＧＣブロック６１８からの制御信号と乗算させることによって、デジタルドメインにおける自動利得制御を実行するために、ＡＰブロック６１６からの同じ信号電力を、ＡＧＣ／ＤＡＧＣブロック６１８によって使用してもよい。アンテナ３３０’において受信した信号におけるメッセージを解釈するために、結果として得られる信号をデータ復調器６３０においてさらに処理してもよい。
【００５４】
図６のブロック図６００が持つ１つの問題は、デジタルフィルタ６１４が、潜在的に、帯域幅外干渉信号を、特に高振幅干渉信号を除去した後に、ＡＰブロック６１６により信号電力を推定する点にある。この態様では、ＬＮＡ６０２および／またはＰＧＡ６０６のプログラマブル利得が過度に高く設定されることがあり、高干渉物が、増幅器のうちの１つまたは増幅器の双方を振り切らせるかもしれず、ＡＤＣ６１２の出力を飽和させるかもしれない。
【００５５】
これを解決するための１つの方法は、デジタルフィルタ６１４の出力よりもむしろＡＤＣ６１２の出力で、信号電力を推定することであるかもしれない。しかしながら、図６のブロック図６００では、ＡＧＣ／ＤＡＧＣブロック６１８におけるアナログおよびデジタル自動利得制御に対して同じ信号電力推定値を使用していることから、高干渉信号が含まれている信号電力の推定値は、デジタルフィルタ６１４が帯域外周波数を除去した後の、デジタルドメインにおける自動利得制御に対して正確でないであろう。したがって、必要とされるのは、自動利得制御のための新しいＺＩＦアーキテクチャである。
【００５６】
図６Ｂは、ＡＤＣ出力を飽和させずにＡＧＣを実行し、そして量子化誤差を減少させるために、独立したＤＡＧＣを行うように構成されているＲＦフロントエンド３２８’に対するＺＩＦアーキテクチャのブロック図６５０を図示している。これらの設計目的を達成するために、ＺＩＦアーキテクチャは、信号電力を推定するための、２つの独立したＡＰブロック６５２、６５８を含んでいてもよい。第１のＡＰブロック６５２は、出力がデジタルフィルタ６１４によってフィルタリングされる前にＡＤＣ６１２の出力の平均電力を推定してもよく、したがって、電力推定値は、高干渉信号のような、帯域外の信号成分を含んでいるかもしれない。独立したＡＧＣブロック６５４は、上述したように、第１のＡＰブロック６５２からの推定された信号電力に基づいて、ＬＮＡ６０２および／またはＰＧＡ６０６の利得をプログラミングするための制御信号とともに、ＤＣオフセットも提供してもよい。この態様では、ＡＤＣ６１２を飽和させることを防ぐために、ＲＦフロントエンド３２８’の最初の数ステージにおいて受信された信号の振幅（すなわち、さらに正確に述べると、電力）に対して、ＡＧＣブロック６５４によって設定される利得を調整してもよい。
【００５７】
信号電力に基づいた自動利得制御の場合には、信号電力の推定値は、ＤＣオフセット誤差を含むべきではない。したがって、第２のＡＰブロック６５８が、デジタルフィルタ６１４の出力から、信号電力を推定する前に、ＤＣ補償器６５６が、アクティブ化されたときに、デジタルフィルタ６１４からの入力信号からＤＣ推定値を除去し、結果として得られる信号を第２のＡＰブロック６５８に送ってもよい。ＤＣ推定値は、上述したように、ＤＣ推定器６２２によって供給されてもよい。いくつかの実施形態の場合には、ＤＣ補償器６５６は存在しなくてもよい。このようなケースでは、示したようなＤＣ補償器６５６は、ＤＦ６１４からのその第１の入力からその出力へのショートを持っていると考えられ、ＤＣ推定器６２２からの第２の入力は無視される。
【００５８】
デジタルフィルタ６１４が、ＡＤＣ６１２の出力からの帯域外成分を除去した後（そして、いくつかの実施形態については、ＤＣ補償器６５６によるＤＣ補償が生じ）、第２のＡＰブロック６５８が、信号の平均電力を推定してもよい。独立したＤＡＧＣブロック６６０は、推定された電力に基づいて、デジタル制御信号または値を出力してもよく、デジタルドメインにおける自動利得制御を実行するために、この制御信号は、乗算器６２８によって、加算器６２６の出力と乗算してもよい。この態様では、デジタルドメインにおける信号成分に基づいて、ＤＡＧＣが正確に実行され、量子化誤差が減少する。
【００５９】
図７は、例えば、図６Ｂのブロック図６５０にしたがった、自動利得制御のための例示的な動作７００のフローチャートである。例えば、７０２において、受信信号が処理（例えば、増幅、混合、低パスフィルタリング、ＤＣ補償等）されてＡＤＣに入力された後に、ＡＤＣ（例えば、ＡＤＣ６１２）の出力の信号電力を第１のＡＰブロック６５２により推定することによって、動作７００は開始する。ＡＤＣの出力は、７０２において信号電力を推定する前に、デジタル的にフィルタリングされない、またはそうでなければ、デジタル的に信号処理されない可能性が最も高い。７０４において、推定された受信信号の電力に基づいて、アナログ利得を調整してもよい。この態様では、ＡＤＣを飽和させるリスクを冒さずに、可変利得増幅器（例えば、ＬＮＡ６０２および／またはＰＧＡ６０６）の利得を自動的に調整するために、潜在的に高干渉信号を有する信号成分を使用してもよい。
【００６０】
７０６において、例えば、７０４において設定されたアナログ利得を使用しながら、デジタルフィルタ(例えば、ＤＦ６１４)の出力の信号電力を、第２のＡＰブロック６５８によって推定してもよい。いくつかの実施形態の場合には、デジタルフィルタの入力が、ＡＤＣの出力に結合されていてもよい。７０８において、推定された調整信号の電力に基づいているデジタル利得を、調整してもよい。
【００６１】
サイクリックプレフィックスを使用する、高速なＡＧＣのための例示的な方法
図６Ｂのブロック図６５０および図７の動作７００は、アナログおよびデジタルＡＧＣを維持している間にＡＤＣを飽和させる問題を取り扱っているが、ＡＧＣに関係する他の問題が存在することがある。例えば、特に、高速で移動しているビークル中にユーザ端末１０６がある移動体環境では、受信信号の電力が早く変わることがある。ＡＧＣのための既存の方法は、以前のＯＦＤＭ／ＯＦＤＭＡフレームの信号電力を使用して、現在のフレーム信号に対する受信機利得を制御するかもしれない。しかしながら、高速で移動しているユーザ端末によるフェーディングが原因の、受信信号の電力の変化を追跡するには、この方法は、ゆっくりすぎるかもしれず、性能は悪化するかもしれない。したがって、必要とされるのは、ＡＧＣの、より高速な方法である。
【００６２】
図８は、ＯＦＤＭ／ＯＦＤＭＡシンボルのサイクリックプレフィックス（ＣＰ）を使用しての高速なＡＧＣのための、例示的な動作８００のフローチャートである。動作８００は、例えば、図６Ｂのブロックの図６５０とともに動作してもよい。動作８００は、８０２において、現在のＯＦＤＭ／ＯＦＤＭＡフレームに対するアナログ利得を初期化することによって開始してもよい。例えば、ＬＮＡ６０２および／またはＰＧＡ６０６の初期利得は、以前のＯＦＤＭＡ／ＯＦＤＭＡフレームの信号電力に基づいて設定されてもよい。利得は、ＡＧＣブロック６５４からの制御信号を使用することによって設定されてもよい。
【００６３】
８０４では、信号のサイクリックプレフィックス（ＣＰ）に基づいて、初期利得により増幅された受信信号の信号電力を推定してもよい。受信信号の電力を推定するために、ＡＤＣ（例えば、ＡＤＣ６１２）の出力は、受信信号が信号処理（例えば、初期利得にしたがった増幅、混合、低パスフィルタリング、ＤＣ補償等）され、ＡＤＣに入力された後、（例えば、第１のＡＰブロック６５２のような）ＡＰブロックに送られてもよい。これは、図７の７０２に類似している。８０６では、推定された受信信号の電力に基づいて、アナログ利得（例えば、ＬＮＡ６０２および／またはＰＧＡ６０６の利得）を調整してもよい。
【００６４】
図９は、ＯＦＤＭ／ＯＦＤＭＡフレームの２つのＯＦＤＭＡ／ＯＦＤＭＡシンボル９０２を図示しており、ここでは、それぞれのシンボル９０２のデータ９０４の後半の一部分をデータ９０４に対してプレフィックスして、ガード期間（ＧＰ）として知られているようなサイクリックプレフィックス（ＣＰ）９０６を形成している。ＣＰ９０６により、受信機３０４は、より長い時間にわたって、いくつかの異なる遅延パスに沿って伝わる信号を受信して、シンボル内干渉（ＩＳＩ）による何らの誤差なく、信号を復調することができる。典型的なＯＦＤＭシステムは、いくつかのＣＰ長をサポートする：例えば、ＷｉＭＡＸシステムは、４つの異なるＣＰ長；Ｎ／４、Ｎ／８、Ｎ／１６、およびＮ／３２をサポートする。ここで、Ｎは、ＦＦＴサイズである。移動局（ＭＳ）がシステムプロファイルを参照することによってＣＰ長を容易に決定することができるように、特定のシステムプロファイルに対して、ＣＰ長は予め定められていてもよい。ＣＰ長が予め定められていないいくつかのシステムでは、ＣＰ長は、捕捉処理中に、ＭＳによって推定されてもよい。
【００６５】
ＯＦＤＭ／ＯＦＤＭＡフレームに基づいている信号が受信されたとき、例えば、８０４において、ＣＰ９０６の第１の部分９０８の間に、平均電力を推定してもよい。例えば、８０６において、ＣＰ９０６の第２の部分９１０の間に、アナログ利得を調整してもよい。この態様では、データ９０４が読み取られる時間までに、ＣＰ９０６に基づいて、アナログ利得を、適切なレベルに自動的に調整していてもよいし、それぞれのシンボル９０２のデータ９０４を、適切な利得により解釈してもよい。
【００６６】
図８に戻って参照すると、８０８では、そのシンボル内のＣＰ９０６またはデータ９０４にしたがって、現在のゾーンにおける後続するＯＦＤＭ／ＯＦＤＭＡシンボルの信号電力を推定してもよい。８０６からの、調整されたアナログ利得によって、後続するシンボルに対する受信信号を増幅させる可能性が最も高いかもしれない。調整された信号電力を推定するために、第２のＡＰブロック６５８を使用してもよい。８１０では、８０８からの、推定された調整信号の電力に基づいてデジタル利得を調整してもよい。例えば、第２のＡＰブロック６５８からの推定された調整信号の電力に基づいている、ＤＡＧＣブロック６６０の出力を、乗算器６２８を使用して乗算することによって、デジタル利得を調整してもよい。
【００６７】
この態様では、ＲＦフロントエンド３２８’は、ＯＦＤＭ／ＰＦＤＭＡシンボルのサイクリックプレフィックスに基づいて、受信機３０４に対する高速自動利得制御を実行してもよい。ブロック８０４に対するアナログ利得を初期化するというよりもむしろ、以前のアナログ利得に基づいて、ブロック８０４ないし８１０を反復して、ＡＧＣおよび／またはＤＡＧＣを更新してもよい。いくつかの実施形態の場合には、ＡＧＣおよび／またはＤＡＧＣは、ＣＰごとに更新してもよいが、他の実施形態では、アナログ利得および／またはデジタル利得は、２ＣＰごとに、３ＣＰごとに、４ＣＰごと等に更新してもよい。更新間隔は、ユーザ端末１０６のスピードに依存していてもよい：より高速に移動しているユーザ端末は、固定ユーザ端末または比較的にゆっくり移動している端末よりも、より短い更新間隔を示唆するかもしれない。いくつかの実施形態の場合には、ＡＧＣおよびＤＡＧＣは、同じＣＰ間隔で更新する必要はない。
【００６８】
いくつかの実施形態の場合には、８０８および／または８１０において調整決定が実行される前に、それぞれ、８０４および／または８０８において、複数のＣＰを評価してもよい。例えば、ＯＦＤＭ／ＰＦＤＭＡシンボルの単一のＣＰに対する信号電力を推定するよりもむしろ、複数のＣＰの推定された信号電力を平均化してもよい。複数のＣＰに基づいて平均化された信号電力のケースでは、移動平均を実行してもよい。他の実施形態の場合には、複数のＣＰの推定された信号電力上で、メディアンフィルタリングを実行してもよい。このメディアンフィルタリングは、メディアンサンプルとは離れた、予め定められた統計的な差異である値を切り捨てるものである。高速なＡＧＣのための複数のＣＰに基づいて信号電力の正確な推定値を決定するために、他のさまざまなタイプの統計的アルゴリズムを使用してもよい。
【００６９】
どのようなＡＧＣ更新間隔が選択されようと、ＤＬサブフレーム４０２内の異なるＯＦＤＭ／ＯＦＤＭＡゾーンは、移動体ユーザ端末の速度とは関係なく、図５に図示したように信号電力が変化するかもしれない。したがって、アナログおよびデジタル利得を更新するために、ＤＬサブフレーム４０２内のそれぞれの異なるゾーン（例えば、それぞれＤＬ−ＰＵＳＣゾーン４２４またはＤＬ−ＦＵＳＣゾーン４２６）の開始時に、ＣＰに基づいた高速なＡＧＣが行われる可能性が最も高いかもしれない。
【００７０】
図８に戻って参照すると、８１２におけるフレーム中の異なるゾーンごとに、８１４では、そのゾーンに対するＣＰに基づいて、一般的には、ゾーンの最初のＣＰに基づいて、ゾーンに対する受信信号の信号電力を推定してもよい。８０４における電力推定と同様な方法で、この信号電力を推定してもよい。８１６では、８１４からの推定された受信信号の電力に基づいて、ゾーンに対するアナログ利得（例えば、ＬＮＡ６０２および／またはＰＧＡ６０６の利得）を調整してもよく、これは、８０６における調整に類似している。
【００７１】
８１８では、そのシンボル内のＣＰ９０６またはデータ９０４にしたがって、現在のゾーンにおける後続するＯＦＤＭ／ＯＦＤＭＡシンボルの信号電力を推定してもよい。８１６からの調整されたアナログ利得によって、後続するシンボルに対する受信信号が増幅される可能性が最も高いかもしれない。この信号の電力は、８０８における電力推定と類似した方法で推定してもよい。８２０では、８１８からの推定された調整信号の電力に基づいてデジタル利得を調整してもよく、これは、８１０におけるデジタル利得調整に類似している。例えば、第２のＡＰブロック６５８からの推定された調整信号の電力に基づいて、ＤＡＧＣブロック６６０の出力を、乗算器６２８を使用して乗算することによって、デジタル利得を調整してもよい。
【００７２】
この態様では、ＲＦフロントエンド３２８’は、ＯＦＤＭ／ＯＦＤＭＡシンボルのサイクリックプレフィックスに基づいて、ＯＦＤＭ／ＯＦＤＭＡフレームのゾーンごとに高速自動利得制御を実行してもよい。ブロック８１４ないし８２０を反復して、現在のゾーン内でＡＧＣおよび／またはＤＡＧＣを更新してもよい。上述したように、ＡＧＣおよび／またはＤＡＧＣは、現在のゾーン内のＣＰに基づいてさまざまな間隔で更新してもよい。
【００７３】
ＤＣ較正のための例示的な方法
上述したように、受信機３０４のＲＦフロントエンド３２８’におけるＡＤＣの飽和を生じさせることがあるのは高干渉信号のみではなく、ＤＣ信号もまた、図６Ａおよび図６ＢのＡＤＣ６１２のようなＡＤＣを飽和させることに関与することがある。したがって、ＡＤＣを飽和させることを防ぐために、ＤＣオフセットを較正してもよいが、従来的には、ＤＣ較正は、ユーザ端末１０６に対する初期ステージ中に実行されている。しかしながら、移動しているユーザ端末に対する温度変化またはドップラー効果により、ＤＣオフセットはシフトするので、より頻繁に、もしかすると基地局１０４とユーザ端末１０６との間の通信交換中に、ＤＣ較正を実行する必要があるかもしれない。一般的に、受信機３０４は、ＤＣ較正中に動作することができないので、通信リンクを一時的に停止させ、場合によってはＶｏＩＰ（インターネットプロトコルによる音声）および（ビデオオンデマンド）ＶＯＤのようなリアルタイムサービスを中断させて、ＤＣオフセットを更新する。したがって、必要なのは、通信リンクを中断させないで、または、リンクを失敗させないで、ＤＣオフセットを更新する方法である。
【００７４】
図１０は、通信リンクを停止させない、ＤＣオフセット較正のための例示的な動作１０００のフローチャートである。１００２において、ユーザ端末１０６に対する初期ステージ中にＤＣオフセットを較正することによって、動作１０００は開始してもよい。この初期ＤＣオフセット較正は、当業者によって知られている何らかの適切な態様で実行してもよい。
【００７５】
１００３における、通常のトラフィック交換に対するＯＦＤＭ／ＯＦＤＭＡごとに、１００４において、ＤＬサブフレーム４０２より前の受信／送信の移行ギャップ（ＲＴＧ）４０７のようなギャップ時間中に、受信機３０４のＲＦフロントエンド３２８’に対するアナログ利得を設定してもよい。例えば、ＤＣオフセットを推定するために、ＲＴＧ４０７中に、ＬＮＡ６０２および／またはＰＧＡ６０６の利得を何らかの適切な値に設定してもよい。１００５において、ギャップ時間信号を、１００４からの利得により増幅させながら、ＤＣオフセット（すなわち、残余ＤＣ）を推定および更新してもよい。この態様では、データが通信されていないときであるギャップ時間中に、ＤＣオフセットが更新される。したがって、ＤＣオフセット較正のために、通信リンクを中断させる必要はない。さらに、ギャップ時間中にＤＣオフセットを更新することによって、ＤＬサブフレーム４０２に基づいている信号が受信されるときに、ＡＤＣが飽和される可能性は低い。
【００７６】
１００６において、ＡＤＣを飽和させないで、ＤＬサブフレーム４０２に基づいている受信信号を増幅させるために、受信機アナログ利得を、１００４における値と同じまたは異なる値に設定してもよい。１００６では、アナログ利得を設定するための何らかの適切な方法にしたがって、受信機アナログ利得を設定してもよく、これは、図６Ｂのブロック図６５０に基づいた動作７００、または、ＣＰを使用している高速なＡＧＣのための動作８００を含んでいる。ＤＣオフセットが最後に更新された時のギャップ時間と、ＤＬサブフレーム４０２との間にアナログ利得は変化しているかもしれないことから、１００７では、ＤＬサブフレーム４０２を、１００６からの利得により増幅させながら、再び、ＤＣオフセットを推定および更新してもよい。１００７からの更新されたＤＣオフセットを使用して、後続するＯＦＤＭ／ＯＦＤＭＡシンボルに基づく付加的な信号を処理してもよい。
【００７７】
ＯＦＤＭ／ＯＦＤＭＡフレームごとに、ＤＬサブフレーム４０２より前のＲＴＧ４０７中にＤＣオフセットを更新することによって、例えば、ＲＦフロントエンドコンポーネントの温度変化および長期間ドリフトがあるにもかかわらず、ＤＣオフセットは較正された状態のままである可能性が最も高いかもしれない。いくつかの実施形態の場合には、フレームごとに反復するというよりむしろ、例えば、２フレームごとに１度、３フレームごとに１度、４フレームごとに１度等のような、何らかの適切なフレーム間隔で、ブロック１００４ないし１００５を反復してもよい。また、いくつかの実施形態に対して、ＣＰに基づいた高速なＡＧＣについて上述したように、アナログ利得および対応ＤＣオフセットは、そのＣＰにしたがってシンボルごとに更新してもよいが、他の実施形態では、アナログ利得および対応ＤＣオフセット利得は、２ＣＰごとに、３ＣＰごとに、４ＣＰ等ごとに更新してもよい。
【００７８】
どのようなアナログ利得／ＤＣオフセット更新間隔が選択されても、ＤＬサブフレーム４０２内の異なるＯＦＤＭ／ＯＦＤＭＡゾーンは、移動体ユーザ端末の速度とは無関係に、図５に図示したように信号電力が変化することがある。したがって、場合によって調整されるアナログ利得にしたがってＤＣオフセットを更新するために、ＤＬサブフレーム４０２内のそれぞれの異なるゾーン（例えば、それぞれＤＬ−ＰＵＳＣゾーン４２４またはＤＬ−ＦＵＳＣゾーン４２６）の開始時に、ＤＣオフセット較正が行われる可能性が最も高いかもしれない。
【００７９】
図１０に戻って参照すると、１００８におけるフレーム中の異なったゾーンごとに、ＡＤＣを飽和させないでゾーンに対する受信信号を増幅させるために、１０１０において、受信機アナログ利得を、１００６における値と同じ値または異なる値に設定してもよい。これは、１００６における調整に類似している。アナログ利得は、ＤＬサブフレーム４０２の始めと、または、任意のＤＬゾーンと、別の後続するＤＬゾーンとの間で変わることがあるので、１０１２において、再度、ＤＬゾーンの受信信号を、１０１０からの利得により増幅させながらＤＣオフセットを推定および更新してもよい。１０１２からの更新されたＤＣオフセットは、ゾーンにおける後続するＯＦＤＭ／ＯＦＤＭＡシンボルに基づいている、ＤＬゾーンの付加的な信号を処理するために使用してもよい。言い換えると、アナログ利得が修正されるごとに、ＤＣオフセットを推定および更新してもよい。
【００８０】
この態様では、ＲＦフロントエンド３２８’における増幅器の利得に関係なく、ＤＣオフセットが原因のＡＤＣ飽和をさせないで、ＤＣオフセットに作用する影響（例えば、温度変化、高速に移動している移動局のドップラー効果による変化、ＲＦフロントエンドコンポーネントの長期間ドリフト）にかかわらず、ＤＣオフセットは較正されたままである可能性が最も高いかもしれない。さらに、図１０の動作１０００は、ＤＣオフセット較正のために通信リンクを中断させることを防ぐ。これにより、混乱なく、または、無効なデータにつながる、ＡＤＣの飽和のリスクを冒さないで、ＶｏＩＰおよびＶＯＤのようなリアルタイムサービスを動作させることが可能になる。
【００８１】
ＡＧＣおよびＤＣ較正の例示的な組み合わせ
本開示のいくつかの実施形態がどのように互いに動作するかを理解するために、図１１Ａ〜Ｇは、例えば、図８のＣＰに基づいた高速なＡＧＣと、図１０のＤＣオフセット較正とを使用している、図６Ｂのブロック図６５０におけるさまざまなステージでの時間における、ＤＣオフセットおよび信号電力レベルを図示している。
【００８２】
図１１Ａは、例えば、受信機３０４のアンテナ３３０’によって受信されたような、例示的な信号電力１１００を図示している。信号電力１１００は、ＯＦＤＭ／ＯＦＤＭＡフレームに基づいているので、図示したように、信号電力１１００は、実質的に電力がない、（ＲＴＧ４０７中の）最初のガードインターバルを有し、そしてＤＬサブフレーム４０２からの十分な電力を持つシンボルが続く。ＤＬサブフレーム４０２は、上述したようにプリアンブル４０８で始まる。おそらくは、サービング基地局からさらに離れるようにアンテナ３３０’が移動していることが原因で、信号電力１１００は、図示したように、時間とともにフェーディングしており、これにより、図１１Ａ中の最後に図示したＯＦＤＭシンボル１１０１は、図示した４つのシンボルの最小の信号電力を有している。信号電力１１００は、何らかの干渉を含んでいるかもしれない。
【００８３】
図１１Ｂは、アンテナ３３０’によって受信された信号電力１１００が増幅、混合、フィルタリング、そうでなければ処理された後の、ＡＤＣ６１２の出力における、例示的な信号電力１１０２を図示している。ギャップ時間中、ブロック８０２または１００４にしたがって、アナログ利得を初期化してもよい。いったん、利得が初期化されると、これにより、信号電力１１０２における残余ＤＣオフセット１１０３を生成させるかもしれず、この残余ＤＣオフセット１１０３は較正されて除去されなければならない。例えば、ブロック１００５にしたがって、ギャップ時間中に、残余ＤＣオフセット１１０３を推定してもよい。
【００８４】
いったん、最初のＣＰが受信されると、ブロック８０４にしたがって、信号電力１１０２における最初のＣＰの平均の信号電力を推定してもよく、例えば、ブロック８０６または１００６にしたがって、アナログ利得を調整してもよい。したがって、信号電力１１０２が初期利得を有したとはいえ、最初のＣＰの受信中に利得は増加し、これにより、信号電力１１０２は、信号電力１１００よりも相当高くなる。２つの独立したＡＰブロック６５２、６５８を有するブロック図６５０に基づいて、上述した本開示の実施形態にしたがって、信号電力１１０２に対する高干渉信号の存在の下で、ＡＤＣ６１２を飽和させずに、信号電力１１００を適切に増幅させてもよい。
【００８５】
最後に図示したＯＦＤＭシンボル１１０１が新しいゾーンの最初のシンボルである場合、新しいゾーンの最初のＣＰの平均信号電力は、信号電力１１０２について示したように、例えば、ブロック８１４にしたがって推定してもよい。新しいゾーンに対するアナログ利得は、例えば、ブロック８１６または１０１０にしたがって調整してもよい。新しいゾーンに対するアナログ利得を調整することによって、最後に図示したＯＦＤＭシンボル１１０１に対する信号電力１１０２は、フェーディングした受信信号電力１１００にもかかわらず、ＡＤＣの出力における信号電力１１０２に対する、プリアンブル４０８を含む最初のＯＦＤＭシンボルと類似した信号電力に増幅されるかもしれない。
【００８６】
図１１Ｃは、干渉が取り除かれた後の、デジタルフィルタ６１４の出力における、例示的な信号電力１１０４を図示している。干渉の除去により、信号電力１１０４は、ＡＤＣ６１２の出力における信号電力１１０２よりも、相当低いかもしれない。例えば、ブロック１００７にしたがって、ＯＦＤＭ／ＯＦＤＭＡフレームの最初の部分（例えば、最初のシンボルのようなプリアンブル４０８中）の間に、場合によっては、図１１Ｃに図示したように後続するシンボルにおいて再度、ＤＣ推定器６２２によって、ＤＣオフセットを推定してもよい。また、例えば、図示したように、ブロック１０１２にしたがって、異なるＤＬゾーンの最初のシンボル（すなわち、最後に図示したシンボル１１０１）中に、推定器６２２によってＤＣオフセットを推定してもよい。
【００８７】
図１１Ｄは、ＤＣ補償器６５６の出力における、例示的な信号電力１１０６を図示している。例えば、ブロック８０８にしたがって、信号電力を推定するために使用されたＣＰと同じシンボルのデータ部分中に、また一方ではブロック８０８または８１８にしたがって、後続するシンボルのデータ部分中に再度、ＤＣ補償がアクティブ化されているかもしれないことを除いて、信号電力１１０６は、信号電力１１０４に類似している。この態様では、信号電力を正確に推定するために、そしてデジタル利得を適切に設定するために、（例えば、ブロック１００７または１０１０にしたがって測定されたような）ＤＣ推定器６２２からのＤＣオフセットを、信号電力１１０４から除去してもよい。信号電力１１０６中のＤＣオフセット移行１１０７に留意されたい。
【００８８】
図１１Ｅは、バッファ６２４の出力における、例示的な信号電力１１０８を図示しており、デジタルフィルタ６１４の出力における、信号電力１１０４の遅延バージョンを表現している。信号電力１１０８の利得およびオフセットは、おそらく、信号電力１１０４と同じである。
【００８９】
図１１Ｆは、加算器６２６の出力における、例示的な信号電力１１１０を図示しており、この加算器６２６の出力は、例えば、ブロック１００７または１０１０にしたがって、デジタルフィルタ６１４の出力における信号電力１１０４上で、ＤＣ推定器６２２によって得られたＤＣ推定値にしたがった、バッファ６２４の出力における信号電力１１０８のＤＣ調整されたバージョンを表している。信号電力１１１０は、ＤＣ推定値が正確に実行された場合の、残余ＤＣオフセット１１０３の所望の除去を図示している。
【００９０】
図１１Ｇは、ブロック８１０にしたがって、そして、ブロック８１０または８２０にしたがって再度、信号電力１１０６の推定値に基づいたデジタル自動利得制御が適用された後の、乗算器６２８の出力における例示的な信号電力１１１２を図示している。信号電力１１０６に対して、第２のＡＰブロック６５８によってなされる信号電力の推定間のシンボル間隔中にＯＦＤＭ／ＯＦＤＭＡシンボルに適用されるデジタル利得を除いて、乗算器６２８の出力における信号電力１１１２は、残余ＤＣオフセット１１０３が除去されている、加算器６２６の出力における信号電力１１１０に類似している。ＤＣオフセットおよび干渉が除去され、ＡＤＣ飽和が原因の信号劣化がなく、増加した信号対干渉プラス雑音比（ＳＩＮＲ）に対してフェーディングの影響が軽減された、信号電力１１１２は、おそらく、データ復調器６３０によるさらなる処理に対する準備ができている。
【００９１】
上述した動作は、多数のミーンズプラスファンクションブロックに対応している、さまざまなハードウェアおよび／またはソフトウェアコンポーネントおよび／またはモジュールによって実行してもよい。例えば、上述した、図７の動作７００は、図７Ａに図示したミーンズプラスファンクションブロック７００Ａに対応している、さまざまなハードウェアおよび／またはソフトウェアコンポーネントおよび／またはモジュールによって実行してもよい。言い換えると、図７に図示したブロック７０２ないし７０８は、図７Ａに図示したミーンズプラスファンクションブロック７０２Ａないし７０８Ａに対応している。
【００９２】
ここで使用したような、「決定する」という用語は、幅広いさまざまなアクションを含む。例えば、「決定する」は、計算することや、電算処理することや、処理することや、導出することや、調査することや、ルックアップ（例えば、テーブル、データベースまたは別のデータ構造においてルックアップ）することや、確認することや、これらに類するものを含んでいてもよい。また、「決定する」は、受信すること（例えば、情報を受信すること）や、アクセスすること（例えば、メモリ中のデータにアクセスすること）や、これらに類するものを含んでいてもよい。また、「決定する」は、解決することや、選択することや、選ぶことや、確立することや、これらに類するものを含んでいてもよい。
【００９３】
情報および信号は、さまざまな異なる技術や技能のうちの任意のものを用いて表されてよい。例えば、上述の説明全体を通して参照される、データや、命令や、コマンドや、情報や、信号や、これらに類するものは、電圧、電流、電磁波、磁界、または磁粒、光学フィールドまたは光粒子、あるいはこれらの任意の組み合わせによって表すことができる。
【００９４】
ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの商業的に利用可能なプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【００９５】
本開示に関連して記述した方法またはアルゴリズムのステップは、ハードウェアで、プロセッサにより実行されるソフトウェアモジュールで、あるいは、２つのものを組み合わせたもので直接的に具現化してもよい。ソフトウェアモジュールは、技術的に知られている何らかの形態の記憶媒体で存在していてもよい。使用されてもよい記憶媒体のいくつかの例は、ランダムアクセスメモリ（ＲＡＭ）、リードオンリーメモリ（ＲＯＭ）、フラッシュメモリ、ＥＥＰＲＯＭメモリ、ＥＥＰＲＯＭメモリ、レジスタ、ハードディスク、リムーバルディスク、ＣＤ−ＲＯＭ等を含んでいる。ソフトウェアモジュールは、単一の命令、または、多くの命令を備えていてもよく、いくつかの異なるコードセグメント上で、異なるプログラムの間で、および、複数の記憶媒体を介して、分配してもよい。記憶媒体は、プロセッサが記憶媒体から情報を読み取り、記憶媒体に情報を書き込むことができるようにプロセッサに結合していてもよい。代替実施形態では、記憶媒体はプロセッサと一体化してもよい。
【００９６】
ここで開示した方法は、記述した方法を実現するための１つ以上のステップまたはアクションを含む。方法ステップおよび／またはアクションは、特許請求の範囲の範囲から逸脱することなく互いに置換可能であってもよい。言い換えると、ステップまたはアクションの特定の順序が指定されていない限り、特許請求の範囲から逸脱しないで、特定のステップおよび／またはアクションの順序および／または使用を改良してもよい。
【００９７】
記述した機能は、ハードウェア、ソフトウェア、ファームウェア、またはこれらの任意の組み合わせで実現してもよい。ソフトウェアで実現された場合、関数は、コンピュータ読み取り可能媒体上で１つ以上の命令として記憶してもよい。記憶媒体は、コンピュータによりアクセスできる任意の利用可能な媒体であってもよい。一例として、このようなコンピュータ読み取り可能媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは、命令またはデータ構造の形態で所望のプログラムコードを伝送または記憶するために使用できたり、コンピュータによりアクセスできる他の何らかの媒体を含むことができるが、これらに限定されるものではない。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、ブルーレイ（登録商標）ディスクを含んでいてもよいが、一般的に、ディスク（ｄｉｓｋ）は、データを磁気的に再生する一方で、ディスク（ｄｉｓｃ）はデータをレーザーによって光学的に再生する。
【００９８】
ソフトウェアまたは命令はまた、送信媒体を通して送信してもよい。例えば、ソフトウェアが、ウェブサイト、サーバ、あるいは同軸ケーブルや、光ファイバケーブルや、撚り対や、デジタル加入者線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００９９】
さらに、ここで述べた方法および技術を実行する、モジュールおよび／または他の適切な方法はダウンロードすることができ、あるいは／ならびに、そうでなければ、ユーザ端末および／または基地局により、適用可能に取得することができる。例えば、このようなデバイスは、サーバに結合することができ、ここで述べた方法を実行する手段の転送を容易にする。代わりに、ここで述べたさまざまな方法は、記憶手段（例えば、ＲＡＭ、ＲＯＭ、コンパクトディスク（ＣＤ）やフロッピーディスクなどのような物理的な記憶媒体）を通して提供でき、それにより、ユーザ端末および／または基地局は、記憶手段をデバイスに結合または提供すると、さまざまな方法を取得することができる。さらに、ここで述べた方法および技術をデバイスに提供する他の任意の適した技術を利用することができる。
【０１００】
特許請求の範囲は上記で図示した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。  
以下に、本願出願当初の特許請求の範囲に記載された発明を付記する。
［１］ワイヤレス通信システムにおける自動利得制御（ＡＧＣ）のための方法において、
アナログデジタル変換器（ＡＤＣ）の出力から、受信信号の電力を推定することと、
前記推定された受信信号の電力に基づいて、アナログ利得を調整することと、
前記調整されたアナログ利得を使用しながら、デジタルフィルタの出力から、調整された信号の電力を推定することと、
前記推定された調整信号の電力に基づいて、デジタル利得を調整することとを含み、
前記ＡＤＣの出力は、前記デジタルフィルタに入力される方法。
［２］前記受信信号は、直交周波数分割多重化（ＯＦＤＭ）または直交周波数分割多元接続（ＯＦＤＭＡ）フレームに基づいている［１］記載の方法。
［３］前記受信信号の電力を推定することは、前記フレームのＯＦＤＭまたはＯＦＤＭＡシンボルの第１のサイクリックプレフィックス（ＣＰ）に基づいて、前記受信信号の電力を推定することを含む［２］記載の方法。
［４］前記調整された信号の電力を推定することは、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定することを含む［３］記載の方法。
［５］前記受信信号の電力を推定する前に、前記アナログ利得を初期化することをさらに含む［１］記載の方法。
［６］ワイヤレス通信のための受信機において、
アナログデジタル変換器（ＡＤＣ）の出力から、受信信号の電力を推定するように構成されている第１の推定論理と、
前記推定された受信信号の電力に基づいて、アナログ利得を調整するように構成されている第１の調整論理と、
前記調整されたアナログ利得を使用しながら、デジタルフィルタの出力から、調整された信号の電力を推定するように構成されている第２の推定論理と、
前記推定された調整信号の電力に基づいて、デジタル利得を調整するように構成されている第２の調整論理とを具備し、
前記ＡＤＣの出力は、前記デジタルフィルタに入力される受信機。
［７］前記受信信号は、直交周波数分割多重化（ＯＦＤＭ）または直交周波数分割多元接続（ＯＦＤＭＡ）フレームに基づいている［６］記載の受信機。
［８］前記第１の推定論理は、前記フレームのＯＦＤＭまたはＯＦＤＭＡシンボルの第１のサイクリックプレフィックス（ＣＰ）に基づいて、前記受信信号の電力を推定するように構成されている［７］記載の受信機。
［９］前記第２の推定論理は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定するように構成されている［８］記載の受信機。
［１０］前記第１の推定論理が前記受信信号の電力を推定する前に、前記アナログ利得を初期化するように構成されている初期化論理をさらに具備する［６］記載の受信機。
［１１］ワイヤレス通信システムにおける自動利得制御（ＡＧＣ）のための装置において、
アナログデジタル変換器（ＡＤＣ）の出力から、受信信号の電力を推定する手段と、
前記推定された受信信号の電力に基づいて、アナログ利得を調整する手段と、
前記調整されたアナログ利得を使用しながら、デジタルフィルタの出力から、調整された信号の電力を推定する手段と、
前記推定された調整信号の電力に基づいて、デジタル利得を調整する手段とを具備し、
前記ＡＤＣの出力は、前記デジタルフィルタに入力される装置。
［１２］前記受信信号は、直交周波数分割多重化（ＯＦＤＭ）または直交周波数分割多元接続（ＯＦＤＭＡ）フレームに基づいている［１１］記載の装置。
［１３］前記受信信号の電力を推定する手段は、前記フレームのＯＦＤＭまたはＯＦＤＭＡシンボルの第１のサイクリックプレフィックス（ＣＰ）に基づいて、前記受信信号の電力を推定する手段を備える［１２］記載の装置。
［１４］前記調整された信号の電力を推定する手段は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定する手段を備える［１３］記載の装置。
［１５］前記受信信号の電力を推定する前に、前記アナログ利得を初期化する手段をさらに具備する［１１］記載の装置。
［１６］移動体デバイスにおいて、
信号を受信する受信機フロントエンドと、
アナログデジタル変換器（ＡＤＣ）の出力から、前記受信信号の電力を推定するように構成されている第１の推定論理と、
前記推定された受信信号の電力に基づいて、アナログ利得を調整するように構成されている第１の調整論理と、
前記調整されたアナログ利得を使用しながら、デジタルフィルタの出力から、調整された信号の電力を推定するように構成されている第２の推定論理と、
前記推定された調整信号の電力に基づいて、デジタル利得を調整するように構成されている第２の調整論理とを具備し、
前記ＡＤＣの出力は、前記デジタルフィルタに入力される移動体デバイス。
［１７］前記受信信号は、直交周波数分割多重化（ＯＦＤＭ）または直交周波数分割多元接続（ＯＦＤＭＡ）フレームに基づいている［１６］記載の移動体デバイス。
［１８］前記第１の推定論理は、前記フレームのＯＦＤＭまたはＯＦＤＭＡシンボルの第１のサイクリックプレフィックス（ＣＰ）に基づいて、前記受信信号の電力を推定するように構成されている［１７］記載の移動体デバイス。
［１９］前記第２の推定論理は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定するように構成されている［１８］記載の移動体デバイス。
［２０］前記第１の推定論理が前記受信信号の電力を推定する前に、前記アナログ利得を初期化するように構成されている初期化論理をさらに具備する［１６］記載の移動体デバイス。
［２１］ワイヤレス通信システムにおける自動利得制御（ＡＧＣ）のためのプログラムを含むコンピュータ読み取り可能媒体において、前記プログラムは、プロセッサによって実行されるときに、
アナログデジタル変換器（ＡＤＣ）の出力から、受信信号の電力を推定することと、
前記推定された受信信号の電力に基づいて、アナログ利得を調整することと、
前記調整されたアナログ利得を使用しながら、デジタルフィルタの出力から、調整された信号の電力を推定することと、
前記推定された調整信号の電力に基づいて、デジタル利得を調整することとを含む動作を実行し、
前記ＡＤＣの出力は、前記デジタルフィルタに入力されるコンピュータ読み取り可能媒体。
［２２］前記受信信号は、直交周波数分割多重化（ＯＦＤＭ）または直交周波数分割多元接続（ＯＦＤＭＡ）フレームに基づいている［２１］記載のコンピュータ読み取り可能媒体。
［２３］前記受信信号の電力を推定することは、前記フレームのＯＦＤＭまたはＯＦＤＭＡシンボルの第１のサイクリックプレフィックス（ＣＰ）に基づいて、前記受信信号の電力を推定することを含む［２２］記載のコンピュータ読み取り可能媒体。
［２４］前記調整された信号の電力を推定することは、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定することを含む［２３］記載のコンピュータ読み取り可能媒体。
［２５］前記動作は、前記受信信号の電力を推定する前に、前記アナログ利得を初期化することを含む［２１］記載のコンピュータ読み取り可能媒体。
［２６］ワイヤレス通信システムにおけるＤＣ較正のための方法において、
受信信号のアナログ利得を設定して、増幅された信号を生成させることと、
前記受信信号のギャップ時間中に、前記増幅信号のＤＣオフセットを推定することと、
前記推定されたＤＣオフセットを、前記増幅信号に適用することとを含み、
前記受信信号は、直交周波数分割多重化（ＯＦＤＭ）または直交周波数分割多元接続（ＯＦＤＭＡ）フレームに基づいている方法。
［２７］前記アナログ利得を設定して、前記ＯＦＤＭまたはＯＦＤＭＡフレームの（ダウンリンク）ＤＬサブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとをさらに含む［２６］記載の方法。
［２８］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することをさらに含む［２７］記載の方法。
［２９］前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することをさらに含む［２６］記載の方法。
［３０］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することをさらに含む［２９］記載の方法。
［３１］前記アナログ利得を設定することは、前記ギャップ時間中に前記アナログ利得を設定することを含む［２６］記載の方法。
［３２］前記アナログ利得を設定する前の初期化中に、前記ＤＣオフセットを較正することをさらに含む［２６］記載の方法。
［３３］ワイヤレス通信のための受信機において、
前記受信機によって受信された信号に対するアナログ利得を設定して、増幅された信号を生成させるように構成されている利得設定論理と、
前記受信信号のギャップ時間中に、前記増幅信号のＤＣオフセットを推定するように構成されているオフセット推定論理と、
前記推定されたＤＣオフセットを、前記増幅信号に適用するように構成されている調整論理とを具備し、
前記受信信号は、直交周波数分割多重化（ＯＦＤＭ）または直交周波数分割多元接続（ＯＦＤＭＡ）フレームに基づいている受信機。
［３４］前記利得設定論理は、前記アナログ利得を設定して、前記ＯＦＤＭまたはＯＦＤＭＡフレームの（ダウンリンク）ＤＬサブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている［３３］記載の受信機。
［３５］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する［３４］記載の受信機。
［３６］前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている［３３］記載の受信機。
［３７］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する［３６］記載の受信機。
［３８］前記利得設定論理は、前記ギャップ時間中に前記アナログ利得を設定するように構成されている［３３］記載の受信機。
［３９］前記アナログ利得を設定する前の初期化中に、前記ＤＣオフセットを較正するように構成されている較正論理をさらに具備する［３３］記載の受信機。
［４０］ワイヤレス通信システムにおけるＤＣ較正のための装置において、
受信信号のアナログ利得を設定して、増幅された信号を生成させる手段と、
前記受信信号のギャップ時間中に、前記増幅信号のＤＣオフセットを推定する手段と、
前記推定されたＤＣオフセットを、前記増幅信号に適用する手段とを具備し、
前記受信信号は、直交周波数分割多重化（ＯＦＤＭ）または直交周波数分割多元接続（ＯＦＤＭＡ）フレームに基づいている装置。
［４１］前記アナログ利得を設定して、前記ＯＦＤＭまたはＯＦＤＭＡフレームの（ダウンリンク）ＤＬサブフレームに基づいている、前記受信信号の一部分を増幅させる手段と、
前記受信信号の前記増幅された一部分のＤＣオフセットを推定する手段と、
前記推定されたＤＣオフセットを、前記受信信号の前記増幅された一部分に適用する手段とをさらに具備する［４０］記載の装置。
［４２］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定する手段をさらに具備する［４１］記載の装置。
［４３］前記アナログ利得を設定して、前記受信信号の一部分を増幅させる手段と、
前記受信信号の前記増幅された一部分のゾーンＤＣオフセットを推定する手段と、
前記推定されたゾーンＤＣオフセットを、前記受信信号の前記増幅された一部分に適用する手段とをさらに具備し、
前記一部分は、前記ＯＦＤＭまたはＯＦＤＭＡフレームにおけるゾーンに基づいている［４０］記載の装置。
［４４］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定する手段をさらに具備する［４３］記載の装置。
［４５］前記アナログ利得を設定する手段は、前記ギャップ時間中に前記アナログ利得を設定する［４０］記載の装置。
［４６］前記アナログ利得を設定する前の初期化中に、前記ＤＣオフセットを較正する手段をさらに具備する［４０］記載の装置。
［４７］移動体デバイスにおいて、
直交周波数分割多重化（ＯＦＤＭ）または直交周波数分割多元接続（ＯＦＤＭＡ）フレームに基づいている信号を受信する受信機フロントエンドと、
前記受信信号に対するアナログ利得を設定して、増幅された信号を生成させるように構成されている利得設定論理と、
前記受信信号のギャップ時間中に、前記増幅信号のＤＣオフセットを推定するように構成されている推定論理と、
前記推定されたＤＣオフセットを、前記増幅信号に適用するように構成されている調整論理とを具備する移動体デバイス。
［４８］前記利得設定論理は、前記アナログ利得を設定して、前記ＯＦＤＭまたはＯＦＤＭＡフレームの（ダウンリンク）ＤＬサブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている［４７］記載の移動体デバイス。
［４９］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する［４８］記載の移動体デバイス。
［５０］前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている［４７］記載の移動体デバイス。
［５１］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する［５０］記載の移動体デバイス。
［５２］前記利得設定論理は、前記ギャップ時間中に前記アナログ利得を設定するように構成されている［４７］記載の移動体デバイス。
［５３］前記アナログ利得を設定する前の初期化中に、前記ＤＣオフセットを較正するように構成されている較正論理をさらに具備する［４７］記載の移動体デバイス。
［５４］ワイヤレス通信システムにおけるＤＣ較正のためのプログラムを含むコンピュータ読み取り可能媒体において、前記プログラムは、プロセッサによって実行されるときに、
受信信号のアナログ利得を設定して、増幅された信号を生成させることと、
前記受信信号のギャップ時間中に、前記増幅信号のＤＣオフセットを推定することと、
前記推定されたＤＣオフセットを、前記増幅信号に適用することとを含む動作を実行し、
前記受信信号は、直交周波数分割多重化（ＯＦＤＭ）または直交周波数分割多元接続（ＯＦＤＭＡ）フレームに基づいているコンピュータ読み取り可能媒体。
［５５］前記動作は、
前記アナログ利得を設定して、前記ＯＦＤＭまたはＯＦＤＭＡフレームの（ダウンリンク）ＤＬサブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとを含む［５４］記載のコンピュータ読み取り可能媒体。
［５６］前記動作は、
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することとを含む［５５］記載のコンピュータ読み取り可能媒体。
［５７］前記動作は、
前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することとを含む［５４］記載のコンピュータ読み取り可能媒体。
［５８］前記動作は、
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することをさらに含む［５７］記載のコンピュータ読み取り可能媒体。
［５９］前記アナログ利得を設定することは、前記ギャップ時間中に前記アナログ利得を設定することを含む［５４］記載のコンピュータ読み取り可能媒体。
［６０］前記動作は、前記アナログ利得を設定する前の初期化中に、前記ＤＣオフセットを較正することを含む［５４］記載のコンピュータ読み取り可能媒体。
【図１】
0005844243.tif 000002
【図２】
0005844243.tif 000003
【図３】
0005844243.tif 000004
【図４】
0005844243.tif 000005
【図５】
0005844243.tif 000006
【図６Ａ】
0005844243.tif 000007
【図６Ｂ】
0005844243.tif 000008
【図７】
0005844243.tif 000009
【図７Ａ】
0005844243.tif 000010
【図８】
0005844243.tif 000011
【図８Ａ】
0005844243.tif 000012
【図９】
0005844243.tif 000013
【図１０】
0005844243.tif 000014
【図１０Ａ】
0005844243.tif 000015
【図１１】
0005844243.tif 000016